(57)【要約】【課題】組織に属する複数の利用者で設備を使用する場合に、利用者それぞれの環境負荷の程度を提示することができる環境負荷提示装置及び環境負荷提示プログラムを提供する。【解決手段】環境負荷提示サーバ装置１は、利用者の所在位置を示す位置情報を時刻情報を含む位置情報履歴３００Ａとして取得する位置情報履歴取得手段１０Ａと、利用者の所在位置に該等する設備で生じる環境に対する負荷量を示す環境負荷情報を時刻情報を含む環境負荷情報履歴２００として取得する環境負荷情報履歴取得手段１０Ｂと、設備で生じた環境負荷情報を設備に所在した利用者ごとに配分し、利用者ごとの個人環境負荷情報１１Ｂを計算する環境負荷計算手段１０Ｄと、選択された利用者の個人環境負荷情報１０Ｄを提示する環境負荷提示手段１０Ｅとを有する。【選択図】図２
2011100417.tif 000002
【特許請求の範囲】
【請求項１】
利用者の所在位置を示す位置情報を、時刻情報を含む位置情報履歴として取得する位置情報履歴取得手段と、
前記利用者の所在位置に該当する設備で生じる環境に対する負荷量を示す環境負荷情報を、時刻情報を含む環境負荷情報履歴として取得する環境負荷情報履歴取得手段と、
前記設備で生じた環境負荷情報を前記設備に所在した利用者ごとに配分し、利用者ごとの個人環境負荷情報を計算する環境負荷計算手段と、
選択された利用者の前記個人環境負荷情報を提示する環境負荷提示手段とを有する環境負荷提示装置。
【請求項２】
前記利用者の組織に対する属性を示す組織属性情報を取得する組織属性情報取得手段をさらに有し、
環境負荷計算手段は、指定された属性と共通の属性を有する他の利用者を前記取得した組織属性情報より特定し、前記他の利用者の個人環境負荷情報を取得して組織環境負荷情報を生成する請求項１に記載の環境負荷提示装置。
【請求項３】
前記環境負荷提示手段は、前記個人環境負荷情報と前記組織環境負荷情報とに基づいて環境負荷提示情報を生成し、前記環境負荷提示情報を提示する請求項２に記載の環境負荷提示装置。
【請求項４】
前記環境負荷計算手段は、前記選択された利用者の前記組織属性情報に基づいて前記設備の環境負荷情報履歴の前記設備に所在した利用者に対する配分の割合を変更する請求項２に記載の環境負荷提示装置。
【請求項５】
前記環境負荷提示手段は、前記個人環境負荷情報が予め定められた１つ以上の閾値を超えた場合に当該閾値に応じた通知処理を実行する請求項１に記載の環境負荷提示装置。
【請求項６】
コンピュータを、
利用者の所在位置を示す位置情報を、時刻情報を含む位置情報履歴として取得する位置情報履歴取得手段と、
前記利用者の所在位置に該当する設備で生じる環境に対する負荷量を示す環境負荷情報を、時刻情報を含む環境負荷情報履歴として取得する環境負荷情報履歴取得手段と、
前記設備で生じた環境負荷情報を前記設備に所在した利用者ごとに配分し、利用者ごとの個人環境負荷情報を計算する環境負荷計算手段と、
選択された利用者の前記個人環境負荷情報を提示する環境負荷提示手段として機能させるための環境負荷提示プログラム。
【発明の詳細な説明】
【技術分野】
【０００１】
本発明は、環境負荷提示装置および環境負荷提示プログラムに関する。
【背景技術】
【０００２】
個人の環境負荷に関する情報を提示する環境負荷提示装置が知られている。
【０００３】
例えば、特許文献１の環境負荷提示装置は、環境負荷削減活動に参加してそれぞれ異なる設備を使用する参加者の登録を受け付け、登録された参加者情報を基に、外部から参加者がそれぞれ消費したエネルギー消費情報を受信し、受信したエネルギー消費情報から参加者毎の環境負荷削減活動の実績情報を算出する。また、実績情報は、それぞれの参加者の周囲環境要素、例えば、参加者の住んでいる場所、家族構成、年齢、性別等によって補正する。
【先行技術文献】
【特許文献】
【０００４】
【特許文献１】特開２００５−９２８７１号公報
【発明の概要】
【発明が解決しようとする課題】
【０００５】
本発明の目的は、組織に属する複数の利用者で設備を使用する場合に、利用者それぞれの環境負荷の程度を提示することができる環境負荷提示装置及び環境負荷提示プログラムを提供することにある。
【課題を解決するための手段】
【０００６】
［１］利用者の所在位置を示す位置情報を、時刻情報を含む位置情報履歴として取得する位置情報履歴取得手段と、前記利用者の所在位置に該当する設備で生じる環境に対する負荷量を示す環境負荷情報を、時刻情報を含む環境負荷情報履歴として取得する環境負荷情報履歴取得手段と、前記設備で生じた環境負荷情報を前記設備に所在した利用者ごとに配分し、利用者ごとの個人環境負荷情報を計算する環境負荷計算手段と、選択された利用者の前記個人環境負荷情報を提示する環境負荷提示手段とを有する環境負荷提示装置。
【０００７】
［２］前記利用者の組織に対する属性を示す組織属性情報を取得する組織属性情報取得手段をさらに有し、環境負荷計算手段は、指定された属性と共通の属性を有する他の利用者を前記取得した組織属性情報より特定し、前記他の利用者の個人環境負荷情報を取得して組織環境負荷情報を生成する前記［１］に記載の環境負荷提示装置。
【０００８】
［３］前記環境負荷提示手段は、前記個人環境負荷情報と前記組織環境負荷情報とに基づいて環境負荷提示情報を生成し、前記環境負荷提示情報を提示する前記［２］に記載の環境負荷提示装置。
【０００９】
［４］前記環境負荷計算手段は、前記選択された利用者の前記組織属性情報に基づいて前記設備の環境負荷情報履歴の前記設備に所在した利用者に対する配分の割合を変更する前記［２］に記載の環境負荷提示装置。
【００１０】
［５］前記環境負荷提示手段は、前記個人環境負荷情報が予め定められた１つ以上の閾値を超えた場合に当該閾値に応じた通知処理を実行する前記［１］に記載の環境負荷提示装置。
【００１１】
［６］コンピュータを、利用者の所在位置を示す位置情報を、時刻情報を含む位置情報履歴として取得する位置情報履歴取得手段と、前記利用者の所在位置に該当する設備で生じる環境に対する負荷量を示す環境負荷情報を、時刻情報を含む環境負荷情報履歴として取得する環境負荷情報履歴取得手段と、前記設備で生じた環境負荷情報を前記設備に所在した利用者ごとに配分し、利用者ごとの個人環境負荷情報を計算する環境負荷計算手段と、選択された利用者の前記個人環境負荷情報を提示する環境負荷提示手段として機能させるための環境負荷提示プログラム。
【発明の効果】
【００１２】
請求項１又は６に係る発明によれば、組織に属する複数の利用者で設備を使用する場合に、利用者それぞれの環境負荷の程度を提示することができる。
【００１３】
請求項２に係る発明によれば、利用者の属性と共通する属性を有する組織の環境負荷を提示することができる。
【００１４】
請求項３に係る発明によれば、利用者個人の属性に応じてその利用者の属する組織及び利用者の環境負荷を提示することができる。
【００１５】
請求項４に係る発明によれば、利用者の属性に応じて配分を変更することができる。
【００１６】
請求項５に係る発明によれば、環境負荷に応じて利用者に通知することができる。
【図面の簡単な説明】
【００１７】
【図１】本発明の実施の形態に係る環境負荷提示システムの構成例を示す概略図である。
【図２】環境負荷提示サーバ装置の構成例を示す概略図である。
【図３】位置情報履歴テーブルの構成例を示す概略図である。
【図４】環境負荷情報の構成例を示す概略図である。
【図５】個人環境負荷情報の構成例を示す概略図である。
【図６】組織属性情報の構成例を示す概略図である。
【図７】組織環境負荷情報の構成例を示す概略図である。
【図８】環境負荷提示情報の構成例を示す概略図である。
【図９】環境負荷提示情報の構成例を示す概略図である。
【図１０】環境負荷提示情報の構成例を示す概略図である。
【図１１】環境負荷提示情報の構成例を示す概略図である。
【図１２】環境負荷提示サーバ装置の動作例を示すフローチャートである。
【図１３】環境負荷提示サーバ装置の他の動作例を示すフローチャートである。
【発明を実施するための形態】
【００１８】
（環境負荷提示システムの構成）
図１は、本発明の実施の形態に係る環境負荷提示システムの構成例を示す概略図である。
【００１９】
環境負荷提示システム１００は、環境負荷提示サーバ装置１と、環境負荷情報取得サーバ装置２と、環境負荷情報履歴データベース（ＤＢ）２Ａと、位置情報取得サーバ装置３と、位置情報履歴ＤＢ３Ａと、組織属性情報ＤＢ４と、端末装置５と、携帯端末装置６と、複合機７と、入退出ゲート８と、各部を通信可能に接続するネットワーク９とを有する。
【００２０】
環境負荷提示サーバ装置１は、登録された利用者が利用する後述する設備３０Ａ〜３０Ｈの環境負荷に関する情報（以下、「環境負荷情報」という。）を取得し、取得した環境負荷情報を利用者ごとに配分して、利用者が属する組織全体及び利用者ごとの環境負荷に関する情報を計算し、利用者に対して提示するものである。ここで、本実施の形態において「環境負荷」とは、環境に与える負荷をいい、例えば、電力消費量等をＣＯ２の排出量に換算したものとするが、単純に電力消費量を用いてもよいし、水道使用量やガス使用量等の他の値に置き換えてもよい。
【００２１】
環境負荷情報取得サーバ装置２は、設備３０Ａ〜３０Ｈの環境負荷情報を取得するものであり、設備３０Ａ〜３０Ｈごとに設備に設置されたコンセント等を用いて消費される電力の消費量を監視する電力消費量監視装置２０Ａと、設備３０Ａ〜３０Ｈごとの照明の電力消費量を監視する照明消費量監視装置２０Ｂと、設備３０Ａ〜３０Ｈごとの空調の電力消費量を監視する空調消費量監視装置２０Ｃと、利用者が利用する端末ごとの端末消費量監視装置２０Ｄとからそれぞれの環境負荷情報を取得し、それらの情報を集計して設備毎の環境負荷情報を算出する。また、環境負荷情報からそれらを利用者に提示するための環境負荷提示情報を作成して出力する。
【００２２】
なお、環境負荷情報取得サーバ装置２は、上述した電力消費量に限らず、他の種類の監視装置から、例えば、ガスや水道の使用量を環境負荷情報として取得してもよい。また、電力消費量監視装置２０Ａ、照明消費量監視装置２０Ｂ、空調消費量監視装置２０Ｃ及び端末消費量監視装置２０Ｄは、リアルタイムに消費量を計測して環境負荷情報を出力するものであってもよいし、予め定められた情報から推定して環境負荷情報を出力するものであってもよい。
【００２３】
また、予め定められた情報から推定して環境負荷情報を出力する場合であって、例えば、フロア全体の総消費量のみ算出可能で、フロアが複数のエリアに分割されている場合は、分割エリアの占める面積に応じて総消費量を配分する等して環境負荷情報を出力する。また、月間、年間の消費量のみ算出可能な場合は、日ごと又は時間ごと等で消費量を配分する。
【００２４】
また、環境負荷情報取得サーバ装置２が取得した環境負荷情報は、時刻情報とともに環境負荷情報履歴２００として環境負荷情報履歴ＤＢ２Ａに格納される。
【００２５】
また、ここで「設備」とは、オフィス、会議室、オープンスペース、ロビー、倉庫等の空間領域のことである。
【００２６】
位置情報取得サーバ装置３は、設備３０Ａ〜３０Ｈごとに配置された複数の位置センサ３０ａ〜３０ｈからなる位置センサ群３０によってタグ３１ａを所持する位置検出対象者３００ａ（利用者）の存在する位置を定期的に、例えば、３秒おきに取得する。また、取得した位置検出対象者３００ａの位置情報の履歴は、位置情報履歴３００Ａとして位置情報履歴データベース（ＤＢ）３Ａに格納される。ここで、位置検出の手段は、リアルタイムで検出する手段として、ＲＦＩＤ（Ｒａｄｉｏ  Ｆｒｅｑｕｅｎｃｙ  ＩＤｅｎｔｉｆｉｃａｔｉｏｎ）やＢｌｕｅｔｏｏｔｈ（登録商標）、無線ＬＡＮ（Ｌｏｃａｌ  Ａｒｅａ  Ｎｅｔｗｏｒｋ）等を用いることができる。また、リアルタイムでない検出手段として、設備利用の履歴情報を蓄積しているシステム、例えば、会議室予約システムや入退出ゲートシステム等を用いることができる。
【００２７】
組織属性情報ＤＢ４は、利用者の属する部門、職種、職務等を示す組織属性情報４００を格納する。
【００２８】
端末装置５は、環境負荷提示サーバ装置１と通信して環境負荷提示サーバ装置１が出力する環境負荷提示情報を表示するための装置であって、操作入力用の操作部と、液晶ディスプレイ等の表示部と、ＣＰＵ（Ｃｅｎｔｒａｌ  Ｐｒｏｃｅｓｓｉｎｇ  Ｕｎｉｔ）や記憶部等の電子部品を備えた制御部とを有する。なお、端末装置５は、例えば、パーソナルコンピュータやＰＤＡ（Ｐｅｒｓｏｎａｌ  Ｄｉｇｉｔａｌ  Ａｓｓｉｓｔａｎｔ）等でもよい。また、端末装置５は、同図では１台を図示するが、複数台でもよい。
【００２９】
携帯端末装置６は、端末装置５と同様に環境負荷提示情報を表示するための装置であって、通信基地６Ａと無線で通信することにより、例えば、メール等によって環境負荷提示情報を受信する。
【００３０】
複合機７は、主に印刷装置、ＦＡＸ送受信装置、スキャナ等の機能を備えた装置であって、液晶ディスプレイ等の表示部を備え、例えば、利用者がそれらの機能を利用する際に表示部に環境負荷提示情報を表示する。
【００３１】
入退出ゲート８は、設備を有する建物の出入り口に設置され、利用者の通行を監視するゲートであり、例えば、利用者が通過する際にその利用者に対する環境負荷提示情報をビープ音の音色やメロディ音の楽曲等によって提示する。
【００３２】
ネットワーク９は、ＬＡＮ、インターネット等でもよく、有線、無線は問わない。
【００３３】
図２は、環境負荷提示サーバ装置１の構成例を示す概略図である。環境負荷提示サーバ装置１は、ＣＰＵ等から構成され各部を制御するとともに各種のプログラムを実行する制御部１０と、ＨＤＤ（Ｈａｒｄ  Ｄｉｓｃ  Ｄｒｉｖｅ）やフラッシュメモリ等の記憶装置から構成され情報を記憶する記憶部１１と、ネットワーク９を介して外部と通信する通信部１２とを有する。
【００３４】
制御部１０は、後述する環境負荷提示プログラム１１Ａを実行することで、位置情報履歴取得手段１０Ａと、環境負荷情報履歴取得手段１０Ｂと、組織属性情報取得手段１０Ｃと、環境負荷計算手段１０Ｄと、環境負荷提示手段１０Ｅとして動作する。
【００３５】
位置情報履歴取得手段１０Ａは、位置情報履歴ＤＢ３Ａから位置情報履歴３００Ａを取得する。
【００３６】
環境負荷情報履歴取得手段１０Ｂは、環境負荷情報取得サーバ装置２から設備３０Ａ〜３０Ｈ毎の環境負荷情報の履歴を取得する。
【００３７】
組織属性情報取得手段１０Ｃは、組織属性情報ＤＢ４から組織属性情報４００を取得する。
【００３８】
環境負荷計算手段１０Ｄは、位置情報履歴３００Ａから設備を利用した利用者を特定するとともに、環境負荷情報履歴取得手段１０Ｂが取得した設備３０Ａ〜３０Ｈ毎の環境負荷情報を、その設備を利用した利用者に配分し、利用者の環境負荷情報を計算して個人環境負荷情報１１Ｂとして出力する。また、利用者が属する組織全体の環境負荷を計算して、組織環境負荷情報１１Ｃとして出力する。なお、後述する環境負荷提示手段１０Ｅの要求に応じて、個人環境負荷情報１１Ｂ及び組織環境負荷情報１１Ｃから、例えば、平均、合計、差分、偏差等の統計情報を算出する。
【００３９】
環境負荷提示手段１０Ｅは、個人環境負荷情報１１Ｂ及び組織環境負荷情報１１Ｃ並びにこれらの統計情報から、メッセージ等の文字情報、グラフ図等の画像情報、印刷用の情報、又はビープ音等の音声情報を生成して環境負荷提示情報１１Ｄとして出力する。
【００４０】
記憶部１１は、制御部１０を上述した各手段として動作させる環境負荷提示プログラム１１Ａと、環境負荷計算手段１０Ｄが出力する個人環境負荷情報１１Ｂと、環境負荷提示手段１０Ｅが出力する環境負荷提示情報１１Ｄとを記憶する。
【００４１】
図３は、位置情報履歴３００Ａの構成例を示す概略図である。位置情報履歴３００Ａは、設備３０Ａ〜３０Ｈの識別情報を示すエリアＩＤ欄３００ｉと、その設備に所在した利用者の識別情報を示す利用者ＩＤ欄３００ｊと、所在した利用者の人数を示す利用者数欄３００ｋと、その設備を利用した期間を示す利用期間欄３００ｌとを有する。図３に示す例では、８階西側の会議室タイプのＮｏ．２のエリアに、利用者ＩＤ２１、４２、１３の３人が、２００９年９月８日の午前９時から１０時まで所在した履歴を示す。
【００４２】
図４は、環境負荷情報履歴２００の構成例を示す概略図である。環境負荷情報履歴２００は、設備３０Ａ〜３０Ｈの環境負荷がリアルタイムに計測されずに予め環境負荷量が定められる例であり、設備３０Ａ〜３０Ｈの識別情報を示すエリアＩＤ欄２００ｉと、予め定められた環境負荷量欄２００ｊと、この環境負荷情報を利用できる有効期間を示す有効期間欄２００ｋとを有する。なお、環境負荷情報履歴２００は、時間帯、利用者の所在、人数、気象条件等の組み合わせによって複数種類用意してもよい。また、空調温度の設定等で区分される季節ごとに変更してもよい。
【００４３】
図５は、個人環境負荷情報１１Ｂの構成例を示す概略図である。個人環境負荷情報１１０Ｂは、図３に示す位置情報履歴３００Ａ及び図４に示す環境負荷情報履歴２００から算出された利用者ごとの個人環境負荷情報１１Ｂの一例であり、利用者の識別情報を示す利用者ＩＤ欄１１０ｉと、利用者ごとに算出された利用者ごとの環境負荷量欄１１０ｊと、算出された環境負荷量が属する期間を示す利用期間欄１１０ｋとを有する。
【００４４】
図５に示す例では、１日あたりの環境負荷量が７２ｇの設備を、３人で１時間使用した場合で計算されており、１人あたりの環境負荷量は、７２（ｇ）×１／２４（時間）÷３（人）＝１（ｇ／人）となり、それぞれの利用者に配分される。なお、環境負荷量や一人当たりの環境負荷量を簡略化する方法として、例えば、環境負荷量を一日当たりのＣＯ２排出量が０ｇ〜１００ｇをレベル１、１０１ｇ〜２００ｇをレベル２、２０１ｇ〜３００ｇをレベル３、３０１ｇ〜４００ｇをレベル４、４０１ｇ以上をレベル５といったレベルで表示したり、一人当たりの環境負荷量を０ｇ／人〜１０ｇ／人を１ポイント、１１ｇ／人〜２０ｇ／人を２ポイント、２１ｇ／人〜３０ｇ／人を３ポイント、３１ｇ／人〜４０ｇ／人を４ポイント、４１ｇ／人以上を５ポイントといったポイントで表示したりしてもよい。
【００４５】
図６は、組織属性情報４００の構成例を示す概略図である。組織属性情報４００は、利用者の組織内での属性を示す情報であり、利用者の識別情報を示す利用者ＩＤ欄４００ｉと、利用者の属する部門を示す部門欄４００ｊと、利用者の職種を示す職種欄４００ｋと、利用者の職階を示す職階欄４００ｌとを有する。
【００４６】
なお、利用者「ＩＤ０１００」は、組織属性情報に含まれるが部門が「Ｇｕｅｓｔ」であり、組織に属さない来客や派遣社員等を示し、環境負荷の配分を受けない、あるいは軽減されるような利用者である。
【００４７】
図７は、組織環境負荷情報１１Ｃの構成例を示す概略図である。部門環境負荷情報１１１Ｃは、組織環境負荷情報１１Ｃの一例として部門毎の環境負荷を計算して得られた情報であり、部門の識別情報を示す部門欄１１１ｉと、部門全体の環境負荷の平均を示す環境負荷平均欄１１１ｊと、組織全体における部門の環境負荷平均の順位を示す環境負荷順位欄１１１ｋと、計算対象としての期間を示す利用期間欄１１１ｌとを有する。
【００４８】
図８は、環境負荷提示情報１１Ｄの構成例を示す概略図である。環境負荷提示情報１１０Ｄは、環境負荷提示情報１１Ｄを、例えば、利用者「ＩＤ００２１」が利用する端末装置５の表示部に表示するために作成された画像情報であり、範囲指定部１１０ｍと、環境負荷グラフ１１０ｎ〜１１０ｐとを有する。
【００４９】
範囲指定部１１０ｍは、環境負荷計算手段１０Ｄが環境負荷情報を計算するために用いる期間範囲を指定するための入力枠である。
【００５０】
環境負荷グラフ１１０ｎは、利用者「ＩＤ００２１」が利用した設備及び設備ごとの環境負荷を縦軸として、時刻を横軸として表示したグラフである。環境負荷は、環境負荷量を５段階に区切ったレベルで示されている。
【００５１】
環境負荷グラフ１１０ｏは、利用者「ＩＤ００２１」に配分された個人分の環境負担量を時刻を横軸として表示したグラフである。ここでポイントとは、環境負荷グラフ１１０ｎのレベルを利用した人数で割ってそれぞれの利用者に配分した際の値である。
【００５２】
ここで、１３：４５〜１５：４５の間の環境負荷グラフ１１０ｎと１１０ｏとを比較すると、環境負荷グラフ１１０ｏにおいては、ポイントが変化していることがわかる。これは、会議室を利用する利用者の数が時間とともに変化したことで、利用者「ＩＤ００２１」に配分されるポイントが変化したことを示している。１６：００〜１８：００の間についても、自室に所在する他の利用者が帰宅等で自室を退室していくにつれて、利用者「ＩＤ００２１」のポイントが増加している。
【００５３】
環境負荷グラフ１１０ｐは、利用者「ＩＤ００２１」に配分されたポイントの合計を示すグラフである。
【００５４】
図９は、環境負荷提示情報１１Ｄの構成例を示す概略図である。環境負荷提示情報１１１Ｄは、環境負荷提示情報１１Ｄを、例えば、利用者「ＩＤ００２１」が利用する端末装置５の表示部に表示するために作成された画像情報であり、範囲指定部１１１ｍと、環境負荷グラフ１１１ｎ〜１１１ｐとを有する。
【００５５】
範囲指定部１１１ｍは、図８に示す範囲指定部１１０ｍに対応するものである。また、環境負荷グラフ１１１ｎ〜１１１ｐは、図８に示す環境負荷グラフ１１０ｎ〜１１０ｐに対応するものである。
【００５６】
環境負荷グラフ１１１ｑは、利用者「ＩＤ００２１」が所属する部門「第二営業Ｇ」の利用者に配分されたポイントの合計の平均を示すグラフである。これらの値は、図６に示す組織属性情報４００から利用者の属性を取得し、図７に示す部門環境負荷情報１１１Ｃを参照することで得られ、利用者自身の環境負荷量と比較することができる。
【００５７】
図１０は、環境負荷提示情報１１Ｄの構成例を示す概略図である。環境負荷提示情報１１２Ｄは、環境負荷提示情報１１Ｄを、例えば、部門「第二営業Ｇ」の職階「スタッフ職」について集計した情報を端末装置５の表示部に表示するために作成された画像情報であり、分析対象指定部１１２ｍと、範囲指定部１１２ｎと、環境負荷グラフ１１２ｏとを有する。
【００５８】
分析対象指定部１１２ｍは、環境負荷計算手段１０Ｄが環境負荷情報を計算するために用いる利用者の属性を指定するための入力枠である。
【００５９】
範囲指定部１１２ｎは、環境負荷計算手段１０Ｄが環境負荷情報を計算するために用いる期間範囲を指定するための入力枠である。
【００６０】
環境負荷グラフ１１２ｏは、部門「第二営業Ｇ」の職階「スタッフ職」の利用者「ＩＤ００００」〜「ＩＤ００２４」に配分された個人分の環境負担量をそれぞれ時刻を横軸として表示したグラフである。
【００６１】
図１１は、環境負荷提示情報１１Ｄの構成例を示す概略図である。
【００６２】
環境負荷提示情報１１３Ｄは、環境負荷提示情報１１Ｄを、例えば、部門「第二営業Ｇ」の職階「スタッフ職」について集計した情報を端末装置５の表示部に表示するために作成された画像情報であり、分析対象指定部１１３ｍと、範囲指定部１１３ｎと、環境負荷グラフ１１３ｏとを有する。
【００６３】
分析対象指定部１１３ｍは、環境負荷計算手段１０Ｄが環境負荷情報を計算するために用いる利用者の属性を指定するための入力枠である。
【００６４】
範囲指定部１１３ｎは、環境負荷計算手段１０Ｄが環境負荷情報を計算するために用いる期間範囲を指定するための入力枠である。
【００６５】
環境負荷グラフ１１３ｏは、部門「第二営業Ｇ」の職階「スタッフ職」の利用者「ＩＤ００００」〜「ＩＤ００２４」に配分された個人分の環境負荷量のポイントの合計をそれぞれ表示したグラフである。
【００６６】
（動作）
以下に、本発明の実施の形態における環境負荷提示システムの動作を各図を参照しつつ説明する。
【００６７】
（環境負荷提示システムの基本動作）
まず、利用者としての位置検出対象者３００ａが組織の施設内を移動し、各設備３０Ａ〜３０Ｈを使用すると、位置センサ群３０がタグ３１ａの位置を検出する。位置情報取得サーバ装置３は、位置センサ群３０が検出した位置に基づいて、利用者が所在した位置の履歴を位置情報履歴３００Ａとして位置情報履歴ＤＢ３Ａに格納する。
【００６８】
また、同時に環境負荷情報取得サーバ装置２は、設備３０Ａ〜３０Ｈの環境負荷量を電力消費量監視装置２０Ａ、照明消費量監視装置２０Ｂ、空調消費量監視装置２０Ｃ及び端末装置消費量監視装置２０Ｄから取得し、環境負荷情報履歴２００として環境負荷情報履歴ＤＢ２Ａに格納する。
【００６９】
組織属性情報ＤＢ４の組織属性情報４００は、組織の管理者によって予め入力される。
【００７０】
（環境負荷情報の生成動作）
図１２は、環境負荷提示サーバ装置１の動作例を示すフローチャートである。
【００７１】
まず、位置情報履歴取得手段１０Ａは、定期的に、例えば、１日や１時間おきに、位置情報履歴ＤＢ３Ａから位置情報履歴３００Ａを取得する（Ｓ１）。次に、環境負荷情報履歴取得手段１０Ｂは、環境負荷情報履歴ＤＢ２Ａから環境負荷情報履歴２００を取得する（Ｓ２）。なお、ステップＳ２は、ステップＳ１と同時に同じ頻度で実行する。
【００７２】
次に、環境負荷計算手段１０Ｄは、利用者の位置情報履歴を利用者が利用した設備の履歴に変換し、同一の設備を利用する利用者の環境負荷を利用者毎に配分して個人環境負荷情報１１Ｂを生成し（Ｓ３）、記憶部１１に格納する（Ｓ４）。例えば、単位時間ごとに図５に示すような個人環境負荷情報１１０Ｂを生成して格納する。
【００７３】
次に、利用者によって環境負荷提示情報の提示要求があった場合、又は利用者に環境負荷提示情報を提示する必要が生じた場合に、環境負荷提示サーバ装置１は、環境負荷提示情報１１Ｄを生成する。
【００７４】
ここで、環境負荷提示情報の提示要求があった場合とは、例えば、利用者が端末装置５や携帯端末装置６を介して提示要求をした場合等である。
【００７５】
また、利用者に対して環境負荷提示情報を提示する必要が生じた場合とは、例えば、利用者が複合機７を使用した際に複合機に備えられた表示部にその利用者の環境負荷提示情報を提示するように設定されている場合や、利用者が入退室ゲート８を通過した際にその利用者の環境負荷量に応じてビープ音の音色を変えて鳴らすように設定されている場合等である。
【００７６】
また、利用者の環境負荷量が予め定めた閾値を超えた際に携帯端末装置６に対して図示しないメールサーバを介して環境負荷提示情報を送信するよう設定されている場合に環境負荷提示情報１１Ｄを生成してもよい。
【００７７】
以下、環境負荷提示情報１１Ｄの生成動作について説明する。
【００７８】
（環境負荷提示情報の生成動作）
図１３は、環境負荷提示サーバ装置１の他の動作例を示すフローチャートである。
【００７９】
まず、環境負荷計算手段１０Ｄは、環境負荷提示情報を提示すべき利用者のＩＤ、例えば、「ＩＤ００２１」を取得する（Ｓ１１）。つまり、端末装置５、携帯端末装置６若しくは複合機７を利用している利用者のＩＤ、又は入退室ゲート８を通過した利用者のＩＤを取得する。
【００８０】
次に、環境負荷計算手段１０Ｄは、個人環境負荷情報１１Ｂから取得した利用者ＩＤに該当する情報、例えば、図５に示す個人環境負荷情報１１０Ｂから利用者「ＩＤ００２１」に該等する情報を取得する（Ｓ１２）。
【００８１】
次に、環境負荷提示情報を提示すべき利用者からさらに組織属性情報の指定がある場合（Ｓ１３；Ｙｅｓ）、つまり、図８に示す個人の環境負荷量を示す環境負荷提示情報１１０Ｄに止まらず、図９〜図１１に示すように部門の環境負荷量や部門内の他の利用者の環境負荷量を示す環境負荷提示情報１１１Ｄ〜１１３Ｄの提示要求がある場合、環境負荷計算手段１０Ｄは、個人環境負荷情報１１Ｂからさらに指定された属性に該当する情報を取得する（Ｓ１４）。つまり、必要に応じて利用者の属する部門の他の利用者の個人環境負荷情報を取得する。
【００８２】
次に、環境負荷計算手段１０Ｄは、取得した情報から利用者によって予めないしは情報提示要求時に指定された種類の統計情報を組織環境負荷情報１１Ｃとして生成する（Ｓ１５）。これは、例えば、環境負荷ポイントの合計、平均、分布等の統計情報であるが、分散、偏差、標準偏差等の他の統計情報を生成してもよい。
【００８３】
次に、環境負荷提示手段１０Ｅは、環境負荷計算手段１０Ｄが生成した組織環境負荷情報１１Ｃ等の統計情報から端末装置５、携帯端末装置６、複合機７に対してであれば文字、グラフ等の画像情報、又入退室ゲート８に対してであればビープ音発生のための情報である環境負荷提示情報１１Ｄを生成する（Ｓ１６）。
【００８４】
生成された環境負荷提示情報１１Ｄは、環境負荷提示情報を提示すべき利用者が使用する端末装置５、携帯端末装置６、複合機７、入退室ゲート８のいずれかにおいて提示される。
【００８５】
［他の実施の形態］
なお、本発明は、上記実施の形態に限定されず、本発明の趣旨を逸脱しない範囲で種々な変形が可能である。
【００８６】
例えば、図６に示す部門が「Ｇｕｅｓｔ」に属する利用者、例えば、来客等と行動を供にする利用者は、来客に対して空調や照明の使用を制限することが困難であることが考えられ、また、環境負荷量を一人で負担するのは酷であるため、環境配慮容易性を考慮して０．３の係数を乗じることで、例えば、レベル３の設備であれば０．９ポイントの環境負荷量が配分される。残りの３−０．９＝２．１ポイントは利用者の部門全体で負担する等の対処をする。
【００８７】
また、環境配慮容易性は、利用者の職階によって左右することが想定されるため、役員の環境配慮容易性を０．８、管理職を０．７、担当者を０．６として重み付けをしてもよい。また、来客の属性に応じて、顧客の環境配慮容易性を０．１、パートナーを０．４、派遣・外注を０．８として重み付けをしてもよい。
【００８８】
また、環境負荷レベルの高い設備、例えば、３０人用の会議室を５人で使用している利用者がいる場合といった、定められた閾値を超える非効率な環境負荷が、定められた期間、定められた時間、発生している場合に、利用した利用者に対してメール等で助言情報を送信してもよい。
【００８９】
また、設備を複数の利用者で利用し、その後利用者の退出とともに、設備に残る利用者の環境負荷量の増加し、その増加が想定されるより多い場合は、退出した利用者の空調や設備内の端末装置等の消し忘れがあるものと判断し、利用者の携帯端末等に対してメール等で警告情報を送信してもよい。
【００９０】
また、利用者がいないが環境負荷が確認できる設備に関しては、環境負荷提示システムの管理者等にその設備の環境負荷量を配分する、又は無駄な環境負荷が存在する旨を提示する等してもよい。
【００９１】
また、上記実施の形態で使用される位置情報履歴取得手段１０Ａ、環境負荷情報履歴取得手段１０Ｂ、組織属性情報取得手段１０Ｃ、環境負荷計算手段１０Ｄ及び環境負荷提示手段１０Ｅは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００９２】
１…環境負荷提示サーバ装置、２…環境負荷情報取得サーバ装置、２Ａ…環境負荷情報履歴ＤＢ、３…位置情報取得サーバ装置、３Ａ…位置情報履歴ＤＢ、４…組織属性情報ＤＢ、５…端末装置、６…携帯端末装置、６Ａ…通信基地、７…複合機、８…入退出ゲート、９…ネットワーク、１０…制御部、１０Ａ…位置情報履歴取得手段、１０Ｂ…環境負荷情報履歴取得手段、１０Ｃ…組織属性情報取得手段、１０Ｄ…環境負荷計算手段、１０Ｅ…環境負荷提示手段、１１…記憶部、１１Ａ…環境負荷提示プログラム、１１Ｂ…個人環境負荷情報、１１Ｃ…組織環境負荷情報、１１Ｄ…環境負荷提示情報、１２…通信部、２０Ａ…電力消費量監視装置、２０Ｂ…照明消費量監視装置、２０Ｃ…空調消費量監視装置、２０Ｄ…端末消費量監視装置、３０…位置センサ群、３０ａ−３０ｈ…位置センサ、３０Ａ−３０Ｈ…設備、３１ａ…タグ、１００…環境負荷提示システム、１１０Ｂ…個人環境負荷情報、１１０Ｄ…環境負荷提示情報、１１０ｉ…利用者ＩＤ欄、１１０ｊ…環境負荷量欄、１１０ｋ…利用期間欄、１１０ｍ…範囲指定部、１１０ｎ…環境負荷グラフ、１１０ｏ…環境負荷グラフ、１１０ｐ…環境負荷グラフ、１１１Ｃ…部門環境負荷情報、１１１Ｄ…環境負荷提示情報、１１１ｉ…部門欄、１１１ｊ…環境負荷平均欄、１１１ｋ…環境負荷順位欄、１１１ｌ…利用期間欄、１１１ｍ…範囲指定部、１１１ｑ…環境負荷グラフ、１１２Ｄ…環境負荷提示情報、１１２ｍ…分析対象指定部、１１２ｎ…範囲指定部、１１２ｏ…環境負荷グラフ、１１３Ｄ…環境負荷提示情報、１１３ｍ…分析対象指定部、１１３ｎ…範囲指定部、１１３ｏ…環境負荷グラフ、２００…環境負荷情報履歴、２００ｉ…エリアＩＤ欄、２００ｊ…環境負荷量欄、２００ｋ…有効期間欄、３００Ａ…位置情報履歴、３００ａ…位置検出対象者、３００ｉ…エリアＩＤ欄、３００ｊ…利用者ＩＤ欄、３００ｋ…利用者数欄、３００ｌ…利用期間欄、４００…組織属性情報、４００ｉ…利用者ＩＤ欄、４００ｊ…部門欄、４００ｋ…職種欄、４００ｌ…職階欄
【図１】
2011100417.tif 000003
【図２】
2011100417.tif 000004
【図３】
2011100417.tif 000005
【図４】
2011100417.tif 000006
【図５】
2011100417.tif 000007
【図６】
2011100417.tif 000008
【図７】
2011100417.tif 000009
【図８】
2011100417.tif 000010
【図９】
2011100417.tif 000011
【図１０】
2011100417.tif 000012
【図１１】
2011100417.tif 000013
【図１２】
2011100417.tif 000014
【図１３】
2011100417.tif 000015